(57)【要約】【課題】従来のパッド箱を排した眼鏡のパッド足及びパッドであって、使用者が自由にパッドを交換でき、樹脂製及び金属製のフロント部に適用できる。【解決手段】パッド足１０は、その一端側に互いに平行な上面１１及び下面１２を備え、軸線を同じくして突出する２つの軸部１３、１３を備えている。パッド２０は、パッド足１０の一端側を取付ける取付け孔２１を備え、その開口部は２つの軸部１３、１３に対応して２つの覆い片２２、２２を備えている。覆い片２２、２２は弾性を備えて開口幅を拡大可能であり、パッド足１０及びパッド２０が相互に着脱可能である。着装時には軸部１３、１３を回転軸として相互に回動する。【選択図】図３
2009031569.tif 000002
【特許請求の範囲】
【請求項１】
眼鏡のパッド足及びパッドであって、
前記パッド足は、その一端側に互いに平行な上面及び下面を備えていると共に前記上面及び下面から軸線を同じくして突出する２つの軸部を備え、
前記パッドは、前記パッド足の前記一端側を取付ける取付け孔を備え、
前記取付け孔の開口部は、前記２つの軸部に対応して２つの覆い片を備えると共に前記覆い片が弾性を備えて開口幅を拡大可能とし、
前記パッド足及び前記パッドが相互に着脱可能であると共に着装時には前記軸部を回転軸として相互に回動可能となることを特徴とする眼鏡のパッド足及びパッド。
【請求項２】
前記パッド足が、金属からなることを特徴とする請求項１に記載の眼鏡のパッド足及びパッド。
【請求項３】
前記パッド足が、他端に突出する差込み部を備えていることを特徴とする請求項１又は２に記載の眼鏡のパッド足及びパッド。
【請求項４】
前記パッドが、樹脂からなることを特徴とする請求項１乃至３の何れかに記載の眼鏡のパッド足及びパッド。
【発明の詳細な説明】
【技術分野】
【０００１】
本発明は眼鏡のパッド足及びパッドに関し、特に、相互に簡単に着脱できると共にスイング機能を備え、使い易い眼鏡のパッド足及びパッドに関する。
【背景技術】
【０００２】
眼鏡は、レンズを保持する左右一対のリムをブリッジで連結し、左右両端には耳に掛けるテンプルが開閉可能に取付けられている。そして、左右のリムのブリッジ近傍にはパッドが取付けられ、パッドが鼻に係止することによって、眼鏡がずり落ちないで顔面に保持されるようになっている。
【０００３】
フロント部が樹脂製の眼鏡においては、パッドがフロント部と一体に成型されることが多い。このため、パッドは多くの場合にフロント部に対して一定形状で固定された状態であり、使用者が、顔の大きさや形状に合わせて調節することは困難である。
【０００４】
また、フロント部が金属製の眼鏡においては、パッド足を介してフロント部にパッドが取付けられることが多い。図７に示すように、パッド足１１０は、屈曲させた金属丸線材１１１の一端がフロント部にロー付けされるものであり、他端にはネジ１１３を備えたパッド箱１１２がロー付けされている。一方、パッド１２０は、パッド本体１２１に金属製のパッド芯１２２が埋め込まれた状態で形成され、パッド芯１２２の突出部には開孔１２３が形成されている。
【０００５】
そして、パッド芯１２２の突出部をパッド箱１１２に差込んで、開孔１２３にネジ１１３を通して螺合することにより、パッド足１１０とパッド１２０とを連結することができる。また、パッド足１１０とパッド１２０が、ネジ１１３を回転軸として相互に回動可能となっている。
【０００６】
このような従来のパッドにおいては、次のような課題や問題点がある。
（１）パッド箱は製作に手間が掛かりコストアップとなるので、パッド箱のないパッド足が望ましい。
（２）眼鏡の使用者が、自由にパッドの交換を行えることが望ましい。
（３）フロント部が樹脂製であっても金属製であっても、共通して使用できるパッドであれば、製造者も使用者も非常に便利になる。
【０００７】
このような従来の課題を解決する発明として、例えば特許文献１に記載されたパッド足及びパッドがある。すなわち、図８に示すように、パッド足２１０は、金属丸線材２２１の先端に球状の突起２１２を備えている。一方、パッド２２０は、パッド本体２２１の側面にシリコン樹脂等の弾性を備えた袋状の嵌合部２２２を備え、袋状の嵌合部２２２に突起２１２を収容するように形成されている。
【０００８】
嵌合部２２２は弾性を備えているので、使用者はパッド２２０を自由に着脱することができる。また、従来と比べて製造工程が簡単であり、コストダウンを図ることができる。しかしながら、球状の突起２１２と袋状の嵌合部２２２との関係は自由度が大きすぎるために、パッド足２１０に対してパッド２２０が必要以上に回転するなどの問題がある。また、従来と同様に樹脂製のフロント部に対しては使用できない。
【特許文献１】特開平６−１７５０８０号公報
【発明の開示】
【発明が解決しようとする課題】
【０００９】
本発明は上記の課題を解決したものであり、従来のパッド箱を排したパッド足及びパッドであって、使用者が自由にパッドの交換を行えるものを提供することを目的とする。また、顔面にフィットし易く使い易いパッドであって、フロント部が樹脂製であっても金属製であっても、共通して使用できるパッドを提供することを目的とする。
【課題を解決するための手段】
【００１０】
上記の課題を解決するために、本発明の請求項１に係る眼鏡のパッド足及びパッドは、眼鏡のパッド足及びパッドであって、前記パッド足は、その一端側に互いに平行な上面及び下面を備えていると共に前記上面及び下面から軸線を同じくして突出する２つの軸部を備え、前記パッドは、前記パッド足の前記一端側を取付ける取付け孔を備え、前記取付け孔の開口部は、前記２つの軸部に対応して２つの覆い片を備えると共に前記覆い片が弾性を備えて開口幅を拡大可能とし、前記パッド足及び前記パッドが相互に着脱可能であると共に着装時には前記軸部を回転軸として相互に回動可能となる手段を採用している。
【００１１】
また、本発明の請求項２に係る眼鏡のパッド足及びパッドは、請求項１に記載の眼鏡のパッド足及びパッドであって、前記パッド足が、金属からなる手段を採用している。また、本発明の請求項３に係る眼鏡のパッド足及びパッドは、請求項１又は２に記載の眼鏡のパッド足及びパッドであって、前記パッド足が、他端に突出する差込み部を備えている。また、本発明の請求項４に係る眼鏡のパッド足及びパッドは、請求項１乃至３の何れかに記載の眼鏡のパッド足及びパッドであって、前記パッドが、樹脂からなる手段を採用している。
【発明の効果】
【００１２】
本発明の眼鏡のパッド足及びパッドは、上記の手段を採用することにより、構造が極めて簡単であり、製造、組立てを容易にすることができるので、安価なコストに抑えることができる。また、顔面にフィットして使い易く、使用者が自由に交換をすることができるものである。さらに、フロント部が樹脂製であっても金属製であっても、共通してパッドを使用することができる。
【発明を実施するための最良の形態】
【００１３】
以下、図面に示す本発明の実施の形態について説明する。
図１〜図６には、本発明による眼鏡のパッド足及びパッドについての一実施の形態を示している。図１には、眼鏡のフロント部３０（樹脂製）に取り付ける前のパッド足１０及びパッド２０を斜視図で示している。図２には、眼鏡のフロント部３０に取り付けられたパッド足１０及びパッド２０を斜視図で示している。
【００１４】
図３には、パッド足１０とパッド２０とを連結する様子を斜視図で示している。図４には、連結されたパッド足１０とパッド２０が軸部１３を回転軸として相互に回動する様子を示している。図５には、樹脂製フロント部用のパッド足１０を正面図及び側面図で示している。図６には、金属性フロント部用のパッド足１０を正面図及び側面図で示している。
【００１５】
本発明のパッド足１０及びパッド２０において、パッド足１０は、その一端側に互いに平行な上面１１及び下面１２を備えていると共に、上面１１及び下面１２から軸線を同じくして突出する２つの軸部１３、１３を備えている。パッド２０は、パッド足１０の一端側を取り付けるために取付け孔２１を備え、取付け孔２１の開口部は２つの軸部１３、１３に対応して２つの覆い片２２、２２を備えている。
【００１６】
覆い片２２、２２は、弾性を備えているので開口幅を拡大することが可能であると共に、その内部が凹部２３、２３を備えて拡大されている。そこで、パッド足１０の一端側をパッド２０の取付け孔２１に押し付けると、軸部１３，１３によって覆い片２２、２２の先端が変形される。これにより、開口幅が拡大して、軸部１３、１３が、取付け孔２１の中に進入し、凹部２３、２３の中に収容されることになる。
【００１７】
軸部１３、１３が凹部２３、２３の中に収容されることにより、覆い片２２、２２に及ぼす力が解消される。これにより、変形された覆い片２２、２２の先端は元の形状に復元し、開口幅が狭められ、この結果、パッド足１０とパッド２０が連結されることになる。
【００１８】
パッド足１０の２つの軸部１３、１３は同一軸線上に設けられている。また、パッド２０の２つの覆い片２２、２２及び凹部２３、２３も同一線上に設けられている。したがって、パッド足１０とパッド２０が連結された状態においては、凹部２３、２３と軸部１３、１３が、軸受けと回転軸の関係となる。この結果、パッド足１０とパッド２０が、着装時においては図４に示すように、軸部１３、１３を回転軸として相互に回動可能となる。
【００１９】
このとき、パッド足１０の一端側とパッド２０の取付け孔２１の形状を工夫することにより、パッド足１０とパッド２０とが必要以上に回動しないようにすることができる。
【００２０】
また、連結されたパッド足１０とパッド２０は、引き離すような力を加えることにより、軸部１３，１３によって覆い片２２の先端が広げられる。これにより、開口幅が拡大して、軸部１３、１３が取付け孔２１から脱出することができる。この結果、パッド足１０とパッド２０が離脱されることになる。このようにして、本発明のパッド足１０及びパッド２０は相互に着脱可能となっており、使用者が簡単にパッド２０の交換を行うことができる。
【００２１】
パッド足１０は、従来と同様に金属製であることが好ましい。また、パッド２０は、従来と同様に人肌に優しい材質であることが好ましく、同時に優れた弾性を備えた樹脂であることが特に好ましい。本発明のパッド足１０は、パッド箱を必要とせず、製作工程も単純となるので、安価に製作することができる。
【００２２】
パッド足１０の他端側は、これを用いる眼鏡フレームのフロント部が、樹脂製であるか、金属製であるかによって異なる形状としている。図５に示すように、樹脂製用のパッド足１０は、他端に突出する差込み部１４、１４を備えている。そして、加熱等の方法により柔らかくした樹脂製フロント部に、パッド足１０の差込み部１４、１４を埋め込んで固定することができる。
【００２３】
また、図６に示すように、金属製用のパッド足１０は、他端側を単に滑らかな形状とすることができる。そして、従来と同様にして、他端をフロント部にロー付けして固定することができる。したがって、本発明のパッド足１０は、樹脂製用としても金属製用としても使用することが可能である。このため、パッド２０については、樹脂製用としても金属製用としても完全に共用することができる。
【図面の簡単な説明】
【００２４】
【図１】本発明のパッド足及びパッドであって、眼鏡のフロント部に取り付ける前の姿を示す概略斜視図である。
【図２】本発明のパッド足及びパッドであって、眼鏡のフロント部に取り付けた後の姿を示す概略斜視図である。
【図３】本発明のパッド足及びパッドが、相互に着脱される様子を示す概略斜視図である。
【図４】本発明のパッド足及びパッドが、着装時に軸部を回転軸として相互に回動する様子を示す概略斜視図である。
【図５】樹脂製フロント部に用いるパッド足の概略正面図及び概略側面図である。
【図６】金属製フロント部に用いるパッド足の概略正面図及び概略側面図である。
【図７】従来のパッド足及びパッドの一例を示す概略斜視図である。
【図８】従来のパッド足及びパッドの他の例を示す概略斜視図である。
【符号の説明】
【００２５】
１０、１１０、２１０    パッド足
１１    上面
１２    下面
１３    軸部
１４    差込み部
２０、１２０、２２０    パッド
２１    取付け孔
２２    覆い片
２３    凹部
３０    フロント部
１１１、２１１    金属丸線材
１１２    パッド箱
１１３    ネジ
１２１、２２１    パッド本体
１２２    パッド芯
１２３    開孔
２１２    突起
２２２    嵌合部
【図１】
2009031569.tif 000003
【図２】
2009031569.tif 000004
【図３】
2009031569.tif 000005
【図４】
2009031569.tif 000006
【図５】
2009031569.tif 000007
【図６】
2009031569.tif 000008
【図７】
2009031569.tif 000009
【図８】
2009031569.tif 000010